(57)【要約】  本開示は、輪郭の少なくとも一部が湾曲形状である表示領域を含む表示基板であって、前記表示領域は、複数のサブ表示領域に分割され、前記複数のサブ表示領域のうち、前記表示領域の端縁に近接する少なくとも１つのサブ表示領域の輪郭は、前記表示領域の輪郭と共形であり、前記少なくとも１つのサブ表示領域は、その中に設けられた、その輪郭の延伸方向に沿って配置された複数のサブ画素を含む、表示基板を提供する。
2021536025.tif 000002
【特許請求の範囲】
【請求項１】
輪郭の少なくとも一部が湾曲形状である表示領域を含む表示基板であって、
前記表示領域は、複数のサブ表示領域に分割され、前記複数のサブ表示領域のうち、前記表示領域の端縁に近接する少なくとも１つのサブ表示領域の輪郭は、前記表示領域の輪郭と共形であり、
前記少なくとも１つのサブ表示領域は、その中に設けられた、その輪郭の延伸方向に沿って配置された複数のサブ画素を含む、
表示基板。
【請求項２】
前記少なくとも１つのサブ表示領域は、径方向に配置された複数の環形のサブ表示領域を含み、前記複数の環形のサブ表示領域の各々は、その中に設けられ、その輪郭の延伸方向に沿って配置された複数のサブ画素を含む、
請求項１に記載の表示基板。
【請求項３】
前記複数のサブ画素は、色が異なる複数の第１のサブ画素と、複数の第２のサブ画素と、複数の第３のサブ画素とを含み、
同一のサブ表示領域内に位置する、隣接しかつ連続して配列される１つの前記第１のサブ画素と、１つの前記第２のサブ画素と、１つの前記第３のサブ画素とにより１つの画素ユニットをなし、複数の画素ユニットは、それらが所在する前記サブ表示領域の輪郭の延伸方向に沿って順に設けられている、
請求項２に記載の表示基板。
【請求項４】
有機エレクトロルミネッセンスダイオード表示基板であって、
前記第１のサブ画素から第３のサブ画素の各々は有機エレクトロルミネッセンスダイオードを含む、
請求項３に記載の表示基板。
【請求項５】
前記有機エレクトロルミネッセンスダイオードが形成されたベース上にアレイ状に配置された画素駆動回路をさらに含む、表示基板であって、
前記画素駆動回路の各々は、前記有機エレクトロルミネッセンスダイオードにおける対応する１つのアノードに接続されている、
請求項４に記載の表示基板。
【請求項６】
前記第１のサブ画素は、赤色の有機エレクトロルミネッセンスダイオードを含み、前記第２のサブ画素は、緑色の有機エレクトロルミネッセンスダイオードを含み、前記第３のサブ画素は、青色の有機エレクトロルミネッセンスダイオードを含む、
請求項４に記載の表示基板。
【請求項７】
前記有機エレクトロルミネッセンスダイオードのアノードが所在する層の上方に形成された画素定義層をさらに含む、表示基板であって、
前記画素定義層は、前記赤色の有機エレクトロルミネッセンスダイオードの発光層を収容する第１の開口と、前記緑色の有機エレクトロルミネッセンスダイオードの発光層を収容する第２の開口と、前記青色の有機エレクトロルミネッセンスダイオードの発光層を収容する第３の開口とを画定し、
前記第１の開口の面積はＳ１であり、第２の開口の面積はＳ２であり、第３の開口の面積はＳ３であり、Ｓ１＜Ｓ２＜Ｓ３を満たす、
請求項６に記載の表示基板。
【請求項８】
前記表示領域は円形であり、前記複数の環形のサブ表示領域は前記表示領域と同心の円環形であり、
前記複数の環形のサブ表示領域は第１の軸に対して対称であり、前記表示領域は第１の軸に対して対称であり、前記複数の画素ユニットは第１の軸に対して対称である、
請求項７に記載の表示基板。
【請求項９】
前記表示領域は楕円形であり、前記複数の環形のサブ表示領域は前記表示領域と同心の楕円環形であり、
前記複数の環形のサブ表示領域は第１の軸に対して対称であり、前記表示領域は第１の軸に対して対称であり、前記複数の画素ユニットは第１の軸に対して対称である、
請求項７に記載の表示基板。
【請求項１０】
同一の前記環形のサブ表示領域内に位置する第１の開口、第２の開口および第３の開口の中心は同一円上に位置し、異なる前記サブ表示領域内に位置する第１の開口、第２の開口および第３の開口の中心は異なる円上に位置し、かつ各円は同心である、
請求項８に記載の表示基板。
【請求項１１】
同一の前記環形のサブ表示領域内に位置する第１の開口、第２の開口および第３の開口の対応する中心から、当該環形のサブ表示領域の円心までの距離は等しく、異なる前記サブ表示領域内に位置する第１の開口、第２の開口および第３の開口の対応する中心から、対応する環形のサブ表示領域の円心までの距離は等しくない、
請求項８に記載の表示基板。
【請求項１２】
カラーフィルム基板を含み、
前記サブ画素は、カラーフィルタを含む、
請求項３に記載の表示基板。
【請求項１３】
前記サブ画素は、赤色フィルタと、青色フィルタと、青色フィルタとを含む、
請求項１２に記載の表示基板。
【請求項１４】
アレイ基板を含み、
前記第１のサブ画素から第３のサブ画素の各々が画素電極を含む、
請求項３に記載の表示基板。
【請求項１５】
各前記サブ表示領域における直接隣接する任意の２つの前記サブ画素の中心の間の距離は等しい、
請求項３に記載の表示基板。
【請求項１６】
隣接する２つの前記サブ表示領域のうちの１つのサブ表示領域内に位置する各サブ画素の中心と、前記隣接する２つの前記サブ表示領域のうちのもう１つのサブ表示領域内に位置する、前記１つのサブ表示領域内の当該サブ画素に隣接するサブ画素の中心との間の距離はいずれも同一である、
請求項３に記載の表示基板。
【請求項１７】
前記複数のサブ表示領域の各々の輪郭は、前記表示領域の輪郭と共形であり、
各前記サブ表示領域は、その中に設けられた、その輪郭の延伸方向に沿って配置された複数のサブ画素を含む、
請求項１に記載の表示基板。
【請求項１８】
前記複数の環形のサブ表示領域各々の前記第１のサブ画素と、第２のサブ画素と、第３のサブ画素とは、それらが所在する前記サブ表示領域の輪郭の延伸方向に沿って同一の順序により設けられている、
請求項３に記載の表示基板。
【請求項１９】
請求項１に記載の表示基板を含む、
表示装置。
【請求項２０】
腕時計またはハンドリングを含む、
請求項１９に記載の表示装置。
【請求項２１】
互いに対向して設けられた、請求項１２または１３に記載の表示基板と、請求項１４に記載の表示基板とを含む、
表示装置。
【発明の詳細な説明】
【技術分野】
【０００１】
（関連出願の相互参照）
本願は、２０１８年８月３１日に提出された中国特許出願２０１８１１０１５２４１．８号の優先権を主張し、その公開内容を参照によりここに援用する。
【０００２】
本開示は表示技術分野に属し、具体的には、表示基板および表示装置に関する。
【背景技術】
【０００３】
アクティブ型有機発光ダイオード（ＡＭＯＬＥＤ，Ａｃｔｉｖｅ  Ｍａｔｒｉｘ  Ｏｒｇａｎｉｃ  Ｌｉｇｈｔ−Ｅｍｉｔｔｉｎｇ  Ｄｉｏｄｅ）は、自発光、広色域、高コントラスト、薄型などの利点を有し、フレキシブル・ウェアラブルデバイス分野で広く応用されている。スマートウォッチなどの円形ウェアラブルデバイスは、ユーザ体験がより好ましいことから、徐々に主流の形態となりつつある。
【発明の概要】
【発明が解決しようとする課題】
【０００４】
本開示の実施例は、輪郭の少なくとも一部が湾曲形状である表示領域を含む表示基板であって、前記表示領域は、複数のサブ表示領域に分割され、前記複数のサブ表示領域のうち、前記表示領域の端縁に近接する少なくとも１つのサブ表示領域の輪郭は、前記表示領域の輪郭と共形であり、前記少なくとも１つのサブ表示領域は、その中に設けられた、その輪郭の延伸方向に沿って配置された複数のサブ画素を含む、表示基板を提供する。
【０００５】
いくつかの実施形態において、前記少なくとも１つのサブ表示領域は、径方向に配置された複数の環形のサブ表示領域を含み、前記複数の環形のサブ表示領域の各々は、その中に設けられ、その輪郭の延伸方向に沿って配置された複数のサブ画素を含む。
【０００６】
いくつかの実施形態において、前記複数のサブ画素は、色が異なる複数の第１のサブ画素と、複数の第２のサブ画素と、複数の第３のサブ画素とを含み、同一のサブ表示領域内に位置する、隣接しかつ連続して配列される１つの前記第１のサブ画素と、１つの前記第２のサブ画素と、１つの前記第３のサブ画素とにより１つの画素ユニットをなし、複数の画素ユニットは、それらが所在する前記サブ表示領域の輪郭の延伸方向に沿って順に設けられている。
【０００７】
いくつかの実施形態において、前記表示基板は、有機エレクトロルミネッセンスダイオード表示基板であって、前記第１のサブ画素から第３のサブ画素の各々は有機エレクトロルミネッセンスダイオードを含む。
【０００８】
いくつかの実施形態において、前記表示基板は、前記有機エレクトロルミネッセンスダイオードが形成されたベース上にアレイ状に配置された画素駆動回路をさらに含み、前記画素駆動回路の各々は、前記有機エレクトロルミネッセンスダイオードにおける対応する１つのアノードに接続されている。
【０００９】
いくつかの実施形態において、前記第１のサブ画素は、赤色の有機エレクトロルミネッセンスダイオードを含み、前記第２のサブ画素は、緑色の有機エレクトロルミネッセンスダイオードを含み、前記第３のサブ画素は、青色の有機エレクトロルミネッセンスダイオードを含む。
【００１０】
いくつかの実施形態において、前記表示基板は、前記有機エレクトロルミネッセンスダイオードのアノードが所在する層の上方に形成された画素定義層をさらに含み、前記画素定義層は、前記赤色の有機エレクトロルミネッセンスダイオードの発光層を収容する第１の開口と、前記緑色の有機エレクトロルミネッセンスダイオードの発光層を収容する第２の開口と、前記青色の有機エレクトロルミネッセンスダイオードの発光層を収容する第３の開口とを画定し、前記第１の開口の面積はＳ１であり、第２の開口の面積はＳ２であり、第３の開口の面積はＳ３であり、Ｓ１＜Ｓ２＜Ｓ３を満たす。
【００１１】
いくつかの実施形態において、前記表示領域は円形であり、前記複数の環形のサブ表示領域は前記表示領域と同心の円環形であり、前記複数の環形のサブ表示領域は第１の軸に対して対称であり、前記表示領域は第１の軸に対して対称であり、前記複数の画素ユニットは第１の軸に対して対称である。
【００１２】
いくつかの実施形態において、前記表示領域は楕円形であり、前記複数の環形のサブ表示領域は前記表示領域と同心の楕円環形であり、前記複数の環形のサブ表示領域は第１の軸に対して対称であり、前記表示領域は第１の軸に対して対称であり、前記複数の画素ユニットは第１の軸に対して対称である。
【００１３】
いくつかの実施形態において、同一の前記環形のサブ表示領域内に位置する第１の開口、第２の開口および第３の開口の中心は同一円上に位置し、異なる前記サブ表示領域内に位置する第１の開口、第２の開口および第３の開口の中心は異なる円上に位置し、かつ各円は同心である。
【００１４】
いくつかの実施形態において、同一の前記環形のサブ表示領域内に位置する第１の開口、第２の開口および第３の開口の対応する中心から、当該環形のサブ表示領域の円心までの距離は等しく、異なる前記サブ表示領域内に位置する第１の開口、第２の開口および第３の開口の対応する中心から、対応する環形のサブ表示領域の円心までの距離は等しくない。
【００１５】
いくつかの実施形態において、前記表示基板は、カラーフィルム基板を含み、前記サブ画素は、カラーフィルタを含む。
【００１６】
いくつかの実施形態において、前記サブ画素は、赤色フィルタと、青色フィルタと、青色フィルタとを含む。
【００１７】
いくつかの実施形態において、前記表示基板は、アレイ基板を含み、前記第１のサブ画素から第３のサブ画素の各々が画素電極を含む。
【００１８】
いくつかの実施形態において、各前記サブ表示領域における直接隣接する任意の２つの前記サブ画素の中心の間の距離は等しい。
【００１９】
いくつかの実施形態において、隣接する２つの前記サブ表示領域のうちの１つのサブ表示領域内に位置する各サブ画素の中心と、前記隣接する２つの前記サブ表示領域のうちのもう１つのサブ表示領域内に位置する、前記１つのサブ表示領域内の当該サブ画素に隣接するサブ画素の中心との間の距離はいずれも同一である。
【００２０】
いくつかの実施形態において、前記複数のサブ表示領域の各々の輪郭は、前記表示領域の輪郭と共形であり、各前記サブ表示領域は、その中に設けられた、その輪郭の延伸方向に沿って配置された複数のサブ画素を含む。
【００２１】
いくつかの実施形態において、前記複数の環形のサブ表示領域各々の前記第１のサブ画素と、第２のサブ画素と、第３のサブ画素とは、それらが所在する前記サブ表示領域の輪郭の延伸方向に沿って同一の順序により設けられている。
【００２２】
本開示の実施例は、本開示の実施例に記載の表示基板を含む表示装置を提供する。
【００２３】
いくつかの実施形態において、前記表示装置は、腕時計またはハンドリングを含む。
【００２４】
本開示の実施例は、互いに対向して設けられた、本開示の実施例に記載のカラーフィルム基板と、本開示の実施例に記載のアレイ基板とを含む、表示装置を提供する。
【図面の簡単な説明】
【００２５】
【図１】従来の円形ＡＭＯＬＥＤ表示デバイスの有効表示領域の端縁における画素配置の模式図である。
【図２】本開示の実施例の表示基板の構造模式図である。
【図３】本開示の実施例の表示基板の端縁の構造模式図である。
【発明を実施するための形態】
【００２６】
本開示の技術案を当業者がより良く理解できるように、以下では、図面および具体的な実施形態を参照しつつ、本開示についてさらに詳しく説明する。
【００２７】
図１は、円形ＡＭＯＬＥＤ表示デバイスの有効表示領域（ＡＡ，Ａｃｔｉｖｅ  Ａｒｅａ）の端縁における画素配置の模式図である。ここで、各画素ユニットＡが３つのサブ画素（Ｒ、Ｇ、Ｂ）を含む場合を例にとると、各画素ユニットＡのアノード層上の画素定義層の開口内にＲ、Ｇ、Ｂ発光材料を蒸着することでアクティブな発光が実現されている。図１に示すように、従来の円形ＡＭＯＬＥＤ表示デバイスにおいて、各画素ユニットは一定寸法の矩形であるため、表示領域の端縁におけるサブ画素Ｒ、Ｇ、Ｂの配列はジグザグ状のステップを呈していた。なお、図１では、表示デバイス内の一部の画素の配置（円形領域の左上角内の画素配置）のみを例示的に示す。表示デバイスが点灯すると、目視可能なジグザグ形状の表示が端縁に現れ、表示効果に著しく影響する。従来の補償アルゴリズムはこのような現象を少し改善することはできるが、ジグザグ形状を完全に取り除くことはできない上、補償方法に限界があった（例えば、特定の形の境界にのみ対応可能である）。
【００２８】
そこで、本開示の実施例は表示基板および表示装置を提供する。
【００２９】
本開示の実施例において提供する表示基板は、表示領域と、表示領域を囲む非表示領域とを含み、表示領域の輪郭の少なくとも一部が弧状などの湾曲形状である。表示領域とは、画素ユニット（例えば、赤、緑、青サブ画素からなる画素）を形成する領域をいう。本実施例では、非表示領域の輪郭（即ち、表示基板の輪郭）の形状について一切限定しない。本実施例において、非表示領域の輪郭の形状は、表示領域の輪郭と同じ形状であってもよいし、表示領域の輪郭と異なる形状であってもよい。本明細書において「輪郭」という用語は、領域または素子の外端縁または境界を指すことができる。
【００３０】
本実施例における表示領域の輪郭形状については、具体的には、例えば、円弧状の面取りが施された矩形、扇形、楕円形、円形などであってよい。後述する具体的な実施例では、理解がしやすいように表示領域が円形である表示基板を例として説明するが、本開示の実施例を制限するものではない。
【００３１】
ここで、表示装置の狭額縁化が進んでいることから、表示基板の表示領域の輪郭は、表示基板の輪郭と同一の輪郭に設計されており、したがって、後述する具体的な実施例のいずれにおいても、表示基板の輪郭と表示領域の輪郭が同一である場合、即ち、表示基板と表示領域の輪郭がいずれも円形である場合を例として説明するが、これは本開示の実施例を制限するものではない。
【００３２】
本実施例は、表示領域を含む表示基板であって、表示基板および表示領域の輪郭が同一で、いずれも円形である表示基板を提供する。当該表示領域は、複数のサブ表示領域に分割され、前記複数のサブ表示領域のうち、表示領域の端縁に近接する少なくとも１つのサブ表示領域は、表示領域の輪郭と共形の輪郭を有する。
【００３３】
図２は、本開示の実施例の表示基板の一例を示したものである。この例において、サブ表示領域はすべて前記表示領域の輪郭と共形の輪郭を有する。図２を参照すると、表示領域は、表示領域の輪郭と共形である複数のサブ表示領域１を含み、各サブ表示領域１は互いに嵌着している。即ち、各サブ表示領域１は、径方向に配置される複数の環形のサブ表示領域である。具体的には、図２に示すように、複数のサブ表示領域１は同心環形に分布し、ここで、最外周のサブ表示領域１の外径は、表示領域の直径と同一であり、直径方向に沿って最外周から内に向かって順に配置される第１のサブ表示領域１の内径は、隣接する内側の第２のサブ表示領域１の外径と同一であり、最内側のサブ表示領域１は円形である。各サブ表示領域１には、その輪郭の延伸方向に沿って順に配置された複数の画素ユニット１０が設けられている。なお、図２では、画素ユニット１０の概略的な配置規則のみを例示する。
【００３４】
本開示の実施例において、表示領域の輪郭は円形であり、その輪郭と共形である対応するサブ表示領域１の形状は円環形であることが分かる。本開示の他の実施例では、表示領域の輪郭は楕円形であり、その輪郭と共形である対応するサブ表示領域１の形状は楕円環形である。本開示の他の実施例では、表示領域の輪郭は、少なくとも一部が湾曲形状である形状であってもよい。そして、サブ表示領域１の形状は、少なくとも一部が前記湾曲形状である。
【００３５】
図２において、すべてのサブ表示領域が前記表示領域の輪郭と共形の輪郭を有する場合を例として、本開示の実施例の表示基板を示す。しかし、本開示はこれに限定されず、表示基板の表示領域の端縁に、表示領域の輪郭と共形の輪郭を有する少なくとも１つのサブ表示領域１を有していればよい。
【００３６】
本開示の実施例において、前記少なくとも１つのサブ表示領域は、径方向に配置された複数の環形のサブ表示領域を含み、複数の環形のサブ表示領域の各々は、その中に設けられ、その輪郭の延伸方向に沿って配置された複数の画素ユニットを含む。
【００３７】
本開示の実施例において、前記表示領域は円形であり、前記複数の環形のサブ表示領域は前記表示領域と同心の円環形である。本実施例の表示基板において、サブ表示領域１の形状は表示領域の輪郭と共形であり、即ち、表示領域が円形であり、サブ表示領域が環形である上、各サブ表示領域１における画素ユニット１０はサブ表示領域１の輪郭の延伸方向に沿って順に設けられ、即ち、各サブ表示領域１における画素ユニット１０は表示基板のベースに１組ずつ設けられることから、ジグザグ状に配置された画素ユニット１０が弧形の表示基板の端縁の位置に現れず、このため、本実施例の表示基板が適用される表示装置の表示効果は良好である。
【００３８】
ここで、本実施例の円形の表示基板における各サブ表示領域１は同心に設けられている。各サブ表示領域１における画素ユニット１０は、その輪郭の延伸方向に沿って順に設けられており、即ち、本実施例における表示基板は、同心に設けられた複数組の画素ユニット１０を含む。こうすれば、単位面積の表示領域により多くの画素ユニット１０を設けることができ、表示装置の高解像度設計を実現できる。
【００３９】
本開示の実施例において、各サブ表示領域内に、配列数が同数であるサブ画素を有してよく、例えば、いずれも一配列のサブ画素、またはいずれもｎ配列のサブ画素を有してよく、ｎは１以上５以下であり、最内側のサブ表示領域にはサブ画素が比較的集中するため他のサブ表示領域と異なり、例えば、サブ画素の配列数は他のサブ表示領域のそれより多くてよい。各サブ表示領域を１つの全体的な駆動ユニットとして画素回路を配置してもよいし、異なるサブ表示領域の全体的な画素配置構造を類似させてもよい（例えば、同一の信号線をサブ表示領域の同一の位置に分布するなど）。
【００４０】
もちろん、本実施例における表示基板は、前述した円形の表示基板に限らず、サブ表示領域１も環形に限らない。当該表示基板は、楕円形であってもよく、したがって、サブ表示領域１は楕円環形となり、表示を均一にするために、各楕円環形の中心は同一となる。本開示の実施例において、表示領域は円形であり、複数の環形のサブ表示領域は表示領域と同心の円環形であり、ここで、複数の環形のサブ表示領域は１つの対称軸に対して対称であり、表示領域は当該対称軸に対して対称であり、複数の画素ユニットは当該対称軸に対して対称である。本開示の別の実施例において、表示領域は楕円形であり、複数の環形のサブ表示領域は表示領域と同心の楕円環形であり、ここで、複数の環形のサブ表示領域は１つの対称軸に対して対称であり、表示領域は当該対称軸に対して対称であり、複数の画素ユニットは当該対称軸に対して対称である。
【００４１】
本開示の実施例において、各画素ユニットはいずれも、色が異なる１つの第１のサブ画素と、１つの第２のサブ画素と、１つの第３のサブ画素とからなり、第１のサブ画素と、第２のサブ画素と、第３のサブ画素とは、それらが所在するサブ表示領域の輪郭の延伸方向に沿って順に設けられている。具体的には、各画素ユニット１０は、それが所在するサブ表示領域１の輪郭の延伸方向に沿って順に設けられた色の異なる表示構造１１を含んでよい。例えば、各画素ユニット１０は、赤色光を出射する表示構造Ｒと、緑色光を出射する表示構造Ｇと、青色光を出射する表示構造Ｂとを含み、当該表示構造Ｒ、Ｇ、Ｂは、それらが所在するサブ表示領域の輪郭の延伸方向に沿って順に設けられている。本開示の他の実施例では、複数の環形のサブ表示領域各々の第１のサブ画素と、第２のサブ画素と、第３のサブ画素とは、それらが所在するサブ表示領域の輪郭の延伸方向に沿って同一の順序により設けられている。もちろん、各画素ユニット１０における表示構造１１から出射される光の色も赤、緑、青の３色に限定されない。
【００４２】
各サブ表示領域１に設けられる赤、緑、青の３色の表示構造が同数であるため、各サブ表示領域１に不完全な画素ユニットは現れず、したがって表示基板は優れた表示効果を得られる。本開示の実施例において、表示構造１１はサブ画素１１と呼んでもよい。
【００４３】
本開示の実施例において、隣接する２つの前記サブ表示領域のうちの１つのサブ表示領域内に位置する各表示構造の中心と、前記隣接する２つの前記サブ表示領域のうちのもう１つのサブ表示領域内に位置する、前記１つのサブ表示領域内の当該表示構造に隣接する表示構造の中心との間の距離はいずれも同一である。具体的には、本開示の実施例において、隣接する任意の環形のサブ表示領域１の間の距離は同一であり、各サブ表示領域１における直接隣接する任意の２つの表示構造の中心の間の距離はいずれも等しい。こうすれば、表示基板が円形の表示基板となり、サブ表示領域１が環形の表示領域となり、各表示構造の間の距離がいずれも等しくなるため、表示基板の表示構造１１は均一に配置され、それ故、当該表示基板が適用される表示装置の表示効果を均一にすることができる。
【００４４】
図３は、本開示の実施例の表示基板の端縁の構造模式図である。なお、図３で示す図２と同一の素子については、図２と同一の符号を引き続き用いるが、簡略化のため、図面では符号を具体的に示さない。また、図３は、表示基板の構造の一部を例示的に示したものにすぎない。図３を参照すると、本実施例は、端縁の輪郭が湾曲形状（図３では弧形）である表示領域を含む表示基板を提供し、前記表示領域は、複数のサブ表示領域１に分割され、前記複数のサブ表示領域１のうち、前記表示領域の端縁に近接する少なくとも１つのサブ表示領域の輪郭は、前記表示領域の輪郭と共形であり、即ち、前記表示領域の端縁に近接する少なくとも１つのサブ表示領域も弧形である。少なくとも１つのサブ表示領域は、その中に設けられた、その輪郭の延伸方向に沿って配置された複数の画素ユニット１０を含む。
【００４５】
本開示の実施例において、少なくとも１つのサブ表示領域は、表示領域の端縁から離れた径方向に配置された複数の環形のサブ表示領域を含み、複数の環形のサブ表示領域の各々は、その中に設けられた、その輪郭の延伸方向に沿って配置された複数の画素ユニットを含む。
【００４６】
本開示の実施例において、表示領域の輪郭は弧形であり、その輪郭と共形である、前記表示領域の端縁に近接するサブ表示領域１の形状は弧形であることが分かる。本開示の実施例において、前記表示領域の端縁に近接しないサブ表示領域１の形状は限定しない。本開示の実施例において、前記表示領域の端縁に近接しないサブ表示領域１（における画素ユニット１０）は、アレイ状に配置されてよい。
【００４７】
本実施例の表示基板において、前記表示領域の端縁に近接するサブ表示領域１の形状は表示領域の輪郭と共形であり、前記表示領域の端縁に近接する各サブ表示領域１における画素ユニット１０は、サブ表示領域１の輪郭の延伸方向に沿って順に設けられ、即ち、前記表示領域の端縁に近接する各サブ表示領域１における画素ユニット１０が表示基板のベースに１組ずつ設けられることから、ジグザグ状に配置された画素ユニット１０が弧形の表示基板の端縁の位置に現れず、このため、本実施例の表示基板が適用される表示装置の表示効果は良好である。
【００４８】
ここで、本実施例の表示基板において、弧形の表示基板における、前記表示領域の端縁に近接する各サブ表示領域１は、同心に設けられている。各サブ表示領域１における画素ユニット１０は、その輪郭の延伸方向に沿って順に設けられており、即ち、本実施例の表示基板は、前記表示領域の端縁に近接する、同心に設けられた複数組の画素ユニット１０を含む。こうすれば、単位面積の表示領域により多くの画素ユニット１０を設けることができ、表示装置の高解像度設計を実現できる。
【００４９】
もちろん、本実施例における表示基板は、前述した弧形の表示基板に限定されず、サブ表示領域１も弧形に限定されない。本開示の実施例において、各画素ユニットはいずれも、色が異なる１つの第１のサブ画素と、１つの第２のサブ画素と、１つの第３のサブ画素とからなり、複数の環形のサブ表示領域各々の第１のサブ画素と、第２のサブ画素と、第３のサブ画素とは、それらが所在するサブ表示領域の輪郭の延伸方向に沿って順に設けられている。具体的には、前記表示領域の端縁に近接する各サブ表示領域１において、各画素ユニット１０は、それが所在するサブ表示領域１の輪郭の延伸方向に沿って順に設けられた色の異なる表示構造１１を含んでよい。例えば、各画素ユニット１０は、赤色光を出射する表示構造Ｒと、緑色光を出射する表示構造Ｇと、青色光を出射する表示構造Ｂとを含み、当該表示構造Ｒ、Ｇ、Ｂは、それらが所在するサブ表示領域の輪郭の延伸方向に沿って順に設けられている。本開示の他の実施例では、異なるサブ表示領域において、第１のサブ画素と、第２のサブ画素と、第３のサブ画素とは、それらが位置するサブ表示領域の輪郭の延伸方向に沿って同一の順序により設けられている。もちろん、各画素ユニット１０における表示構造１１から出射される光の色も赤、緑、青の３色に限定されない。
【００５０】
各サブ表示領域１に設けられる赤、緑、青の３色の表示構造が同数であるため、各サブ表示領域１に不完全な画素ユニットは現れず、したがって表示基板は優れた表示効果を得られる。
【００５１】
図３を参照すると、これは本実施例における１つ目の構造であり、当該表示基板は有機エレクトロルミネッセンスダイオード表示基板であり、各画素ユニット１０は、順に設けられた赤色の有機エレクトロルミネッセンスダイオードと、緑色の有機エレクトロルミネッセンスダイオードと、青色の有機エレクトロルミネッセンスダイオードとを含んでよい。有機エレクトロルミネッセンスダイオードは、通常、ベースを含む。ベースには画素駆動回路１２が形成され、画素駆動回路１２は、通常、スイッチトランジスタ、駆動トランジスタ、蓄積コンデンサなどの素子として構成される。さらに、画素駆動回路１２上には、ビアがエッチングされた層間絶縁層も設けられ、層間絶縁層の上方には、各有機エレクトロルミネッセンスダイオードのアノードが形成され、このとき、各アノードは対応するビアを介して、それに対応する画素駆動回路１２内の駆動トランジスタのドレインに接続されている。さらに、アノードが所在する層の上方に、画素定義層が形成され、画素定義層では、赤色の有機エレクトロルミネッセンスダイオードの発光層を収容する第１の開口１１１と、緑色の有機エレクトロルミネッセンスダイオードの発光層を収容する第２の開口１１２と、青色の有機エレクトロルミネッセンスダイオードの発光層を収容する第３の開口１１３とが画定されている。第１の開口１１１内に赤色発光材料が形成され、第２の開口１１２内に緑色発光材料が形成され、第３の開口１１３内に青色発光材料が形成されている。赤色発光材料、緑色発光材料、青色発光材料が所在する層には、各有機エレクトロルミネッセンスダイオードのカソードが形成されている。
【００５２】
本開示の実施例において、隣接する２つの前記サブ表示領域のうちの１つのサブ表示領域内に位置する各表示構造の中心と、前記隣接する２つの前記サブ表示領域のうちのもう１つのサブ表示領域内に位置する、前記１つのサブ表示領域内の当該表示構造に隣接する表示構造の中心との間の距離はいずれも同一である。具体的には、本開示の実施例において、隣接する任意の環形のサブ表示領域１の間の距離は同一であり、各サブ表示領域１における直接隣接する任意の２つの有機エレクトロルミネッセンスダイオードの中心の間の距離はいずれも等しい。こうすれば、表示領域の輪郭の少なくとも一部が弧形となり、前記表示領域の端縁に近接するサブ表示領域１がそれと共形の弧形の輪郭となり、各有機エレクトロルミネッセンスダイオードの間の距離がいずれも等しくなるため、表示基板の表示構造１１は均一に配置され、それ故、当該表示基板が適用される表示装置の表示効果を均一にすることができる。
【００５３】
ここで、画素駆動回路１２を作製しやすいように、本実施例では画素駆動回路１２をアレイ状に配置する方法を用いるが、このとき、各有機エレクトロルミネッセンスダイオードのアノードを若干長くしてアノードと画素駆動回路１２の安定した接続を確保する必要がある。
【００５４】
ここで、赤色発光材料、緑色発光材料、青色発光材料の発光効率が異なるため、具体的には、これら三者のうち、赤色発光材料の発光効率が最も高く、緑色発光材料の発光効率がこれに続き、青色発光材料の発光効率が最も低いことから、本実施例における表示基板が適用される表示パネルの表示の均一性を確保するために、本実施例の表示基板の画素定義層では、赤色の有機エレクトロルミネッセンスダイオードの発光層を収容する第１の開口１１１、緑色の有機エレクトロルミネッセンスダイオードの発光層を収容する第２の開口１１２、および青色の有機エレクトロルミネッセンスダイオードの発光層を収容する第３の開口１１３それぞれの面積Ｓ１、Ｓ２、Ｓ３が、Ｓ１＜Ｓ２＜Ｓ３を満たすようにする。第１の開口１１１、第２の開口１１２および第３の開口１１３の面積の大きさを改善することで、赤、緑、青の色の異なる有機エレクトロルミネッセンスダイオードの発光輝度のバランスをとって、表示パネルの表示の均一性を改善する。
【００５５】
ここで、本実施例の表示基板において、前記表示領域の端縁に近接する同一のサブ表示領域１内に位置する第１の開口１１１、第２の開口１１２および第３の開口１１３の中心は同一の円弧上に位置し、前記表示領域の端縁に近接する異なるサブ表示領域１内に位置する第１の開口１１１、第２の開口１１２および第３の開口１１３の中心は異なる円弧上に位置し、かつ各円弧は同心である。他の実施例において、表示領域の端縁に近接する同一のサブ表示領域内に位置する第１の開口、第２の開口および第３の開口の対応する中心から、当該環形のサブ表示領域の円心までの距離は等しく、表示領域の端縁に近接する異なるサブ表示領域内に位置する第１の開口、第２の開口および第３の開口の対応する中心から、対応する環形のサブ表示領域の円心までの距離は等しくない。表示基板における有機エレクトロルミネッセンスダイオードの配置を確実に均一にすることで、本実施例の表示基板が適用される表示パネルの表示を均一にしている。
【００５６】
なお、表示パネルの表示効果を均一にするため、他の態様によって表示基板上の各有機エレクトロルミネッセンスダイオードの配置を最適化して、表示基板の最外周（表示基板の円心から最も離れた外周）に沿った表示構造における各有機エレクトロルミネッセンスダイオードの中心から表示基板の円心までの接線が貫通する有機エレクトロルミネッセンスダイオードの色を同一にしてもよい。
【００５７】
本実施例の第２の構造において、当該表示基板は液晶パネル用のカラーフィルム基板である。このとき、表示基板における色の異なる前記表示構造１１は、赤色フィルタと、緑色フィルタと、青色フィルタとを含む。また、本実施例において、表示基板はアレイ基板をさらに含み、各表示構造は画素電極を含む。
【００５８】
本開示の実施例において、隣接する２つの前記サブ表示領域のうちの１つのサブ表示領域内に位置する各表示構造の中心と、前記隣接する２つの前記サブ表示領域のうちのもう１つのサブ表示領域内に位置する、前記１つのサブ表示領域内の当該表示構造に隣接する表示構造の中心との間の距離はいずれも同一である。具体的には、本開示の実施例において、カラーフィルム基板について、隣接する任意の環形のサブ表示領域１の間の距離を同一とし、各サブ表示領域１における直接隣接する任意の２つのカラーフィルタの中心の間の距離も同一とすることで、表示基板の表示構造１１を均一に配置しており、それ故、当該表示基板が適用される表示装置の表示効果を均一にすることができる。
【００５９】
なお、表示パネルの表示効果を均一にするため、他の態様によってカラーフィルム基板上の各カラーフィルタの配置を最適化して、表示基板の最外周（表示基板の円心から最も離れた外周）に沿った表示構造における各カラーフィルタの中心から表示基板の円心までの接線が貫通するカラーフィルタの色を同一にしてもよい。
【００６０】
本実施例は、本開示の実施例に記載の表示基板を含む表示装置を提供する。
【００６１】
ここで、表示装置は、例えば、液晶パネル、電子ペーパー、携帯電話、タブレットコンピュータ、テレビ、ディスプレイ、ノートパソコン、デジタルフォトフレーム、ナビゲーションなどの表示機能を有する任意の製品あるいは部材などの、液晶表示装置またはエレクトロルミネッセンス表示装置であってよい。
【００６２】
腕時計の文字盤は、通常、円弧形であるため、本実施例における表示装置は時計に適用するのに特に適している。同じ理由から、腕時計と類似する構造を有するハンドリングなどの表示デバイスにも適している。
【００６３】
本実施例は、本開示の実施例に記載のカラーフィルム基板とアレイ基板とを含む表示装置であって、前記カラーフィルム基板とアレイ基板とを対向して設けた、表示装置をさらに提供する。
【００６４】
本開示の表示基板において、前記表示領域の端縁に近接する各サブ表示領域における画素ユニットは、サブ表示領域の周方向に沿って順に設けられ、即ち、表示基板のベースに１組ずつ設けられることから、ジグザグ状に配置された画素ユニットが表示基板の端縁の位置に現れず、このため、本開示の表示基板が適用される表示装置の表示効果は良好である。
【００６５】
以上の実施形態は、本開示の原理を説明するために用いた例示的な実施形態にすぎず、本発明はこれに限定されないことが分かる。当業者は、本開示の要旨を逸脱しない範囲で様々な変形および改善を行うことができ、それらの変形および改善も本開示の請求範囲に含まれる。
【符号の説明】
【００６６】
１  サブ表示領域
１０  画素ユニット
１１  表示構造
１２  画素駆動回路
１１１  第１の開口
１１２  第２の開口
１１３  第３の開口
【図１】
2021536025.tif 000003
【図２】
2021536025.tif 000004
【図３】
2021536025.tif 000005
【国際調査報告】
2021536025.tif 000006
2021536025.tif 000007
2021536025.tif 000008
2021536025.tif 000009